(57)【特許請求の範囲】
【請求項１】
主ユニット棚部と、前記主ユニット棚部を左右で支持する主ユニット側部の対とを備え、前記主ユニット棚部及び前記主ユニット側部の対が収容領域を画成して、前記収容領域の前後にそれぞれ一方の開口部と他方の開口部の何れかを有する主ユニットと、
前記収容領域に少なくとも一部が収容され、前記一方の開口部から引き出される第１の引出しユニットと、
前記収容領域に少なくとも一部が収容され、前記他方の開口部から引き出される第２の引出しユニットと、
前記主ユニット側部の対、前記第１の引出しユニット及び前記第２の引出しユニットの各底部にそれぞれ取り付けられた旋回自在な回転手段と、
を備えており、
前記主ユニット棚部が、第１の陳列物を載置し得る第1の領域と、前記第１の領域と前後方向に離隔されて第２の陳列物を載置し得る第２の領域とを有しており、
前記第１の領域と前記第２の領域とを区分けする仕切り部をさらに備え、
前記第１の引出しユニットが前方を向いて配置されて前記第１の引出しユニットが前記一方の開口部から引き出されて前記第１の陳列物が利用に供され、
前記第２の引出しユニットが前方を向いて配置されて前記第２の引出しユニットが前記他方の開口部から引き出されて前記第２の陳列物が利用に供される、陳列棚。
【請求項２】
前記仕切り部は、前記第１の引出しユニットが前方を向いて配置されて前記第１の陳列物が前方を向いたとき前記第２の陳列物が前方から見えないように、かつ前記第２の引出しユニットが前方を向いて配置されて前記第２の陳列物が前方を向いたとき前記第１の陳列物が前方から見えないように、構成される、請求項１に記載の陳列棚。
【請求項３】
第１の装飾部と第２の装飾部とを前後逆向きに有する前飾りユニットを、さらに備え、
前記第１の装飾部が前記第１の陳列物に対応しており、
前記第２の装飾部が前記第２の陳列物に対応し、前記第１の装飾部とは異なる、請求項１又は２に記載の陳列棚。
【発明の詳細な説明】
【技術分野】
【０００１】
本発明は、陳列棚に関する。
【背景技術】
【０００２】
陳列棚には、高さを異にして複数の棚を配置し、棚が上から下になるに従い前方向に配置されるタイプがあり、未使用の際に広いスペースを要求しないもの（例えば、特許文献１）が考えられている。このような陳列棚は、式場で冠婚葬祭を催す際にも使用されている。
【先行技術文献】
【特許文献】
【０００３】
【特許文献１】特開２０１６−１７４７８６号公報（図１９）
【発明の概要】
【発明が解決しようとする課題】
【０００４】
冠婚葬祭では、主催者のしきたりにより各種の仏式などの様式があるため、式場では、一台又はワンセットの陳列棚を用いて、様式に合うように陳列物を逐一交換して配置している。最上段にある社などの陳列物は重量があるにも拘わらず、作業者は、最上段まで複数の棚を階段として行き来し様式毎の陳列物を交換する。そのため、式場では、日々の主催者毎に、陳列棚に陳列物を載置することにかなりの労力を要する。
【０００５】
そこで、本発明では、式の主催者に応じた陳列を容易にする陳列棚を提供することを目的とする。
【課題を解決するための手段】
【０００６】
前記目的を達成するために、本発明における陳列棚は、
主ユニット棚部と、前記主ユニット棚部を左右で支持する主ユニット側部の対とを備え、前記主ユニット棚部及び前記主ユニット側部の対が収容領域を画成して、前記収容領域の前後にそれぞれ一方の開口部と他方の開口部の何れかを有する主ユニットと、
前記収容領域に少なくとも一部が収容され、前記一方の開口部から引き出される第１の引出しユニットと、
前記収容領域に少なくとも一部が収容され、前記他方の開口部から引き出される第２の引出しユニットと、
前記主ユニット側部の対、前記第１の引出しユニット及び前記第２の引出しユニットの各底部にそれぞれ取り付けられた旋回自在な回転手段と、
を備えており、
前記主ユニット棚部が、第１の陳列物を載置し得る第1の領域と、前記第１の領域と前後方向に離隔されて第２の陳列物を載置し得る第２の領域とを有しており、
前記第１の領域と前記第２の領域とを区分けする仕切り部をさらに備え、
前記第１の引出しユニットが前方を向いて配置されて前記第１の引出しユニットが前記一方の開口部から引き出されて前記第１の陳列物が利用に供され、
前記第２の引出しユニットが前方を向いて配置されて前記第２の引出しユニットが前記他方の開口部から引き出されて前記第２の陳列物が利用に供される。
【０００７】
特に、本発明の陳列棚は、
主ユニット棚部と、前記主ユニット棚部を左右で支持する主ユニット側部の対とを備え、前記主ユニット棚部及び前記主ユニット側部の対が収容領域を画成して、前記収容領域の前後にそれぞれ一方の開口部と他方の開口部の何れかを有する主ユニットと、
前記収容領域に少なくとも一部が収容され、前記一方の開口部から引き出される第１の引出しユニットと、
前記収容領域に少なくとも一部が収容され、前記他方の開口部から引き出される第２の引出しユニットと、
前記主ユニット側部の対、前記第１の引出しユニット及び前記第２の引出しユニットの各底部にそれぞれ取り付けられた旋回自在な回転手段と、
を備えており、
前記主ユニット棚部が、第１の陳列物を載置し得る第1の領域と、前記第１の領域と前後方向に離隔されて第２の陳列物を載置し得る第２の領域とを有しており、
前記第１の領域と前記第２の領域とを区分けする仕切り部をさらに備え、
前記第１の領域に前記第１の陳列物を載せておき、前記第２の領域に前記第２の陳列物を載せておき、
前記第１の引出しユニットが前方を向いて配置されて前記第１の引出しユニットが前記一方の開口部から引き出されかつ前記第２の引出しユニットの少なくとも一部が前記収容領域に収容されて前記第１の陳列物が利用に供されて前記第２の陳列物が利用に供されず、
前記第２の引出しユニットが前方を向いて配置されて前記第２の引出しユニットが前記他方の開口部から引き出されかつ前記第１の引出しユニットの少なくとも一部が前記収容領域に収容されて前記第２の陳列物が利用に供され前記第１の陳列物が利用に供されない。
【０００８】
本発明の陳列棚において、好ましくは、前記仕切り部は、前記第１の引出しユニットが前方を向いて配置されて前記第１の陳列物が前方を向いたとき前記第２の陳列物が前方から見えないように、かつ前記第２の引出しユニットが前方を向いて配置されて前記第２の陳列物が前方を向いたとき前記第１の陳列物が前方から見えないように、構成される。
【０００９】
本発明の陳列棚は、好ましくは、第１の装飾部と第２の装飾部とを前後逆向きに有する前飾りユニットを、さらに備え、前記第１の装飾部が前記第１の陳列物に対応しており、前記第２の装飾部が前記第２の陳列物に対応し、前記第１の装飾部とは異なる。
【発明の効果】
【００１０】
本発明によれば、第１の引出しユニット及び第２の引出しユニットがそれぞれ主ユニットの収容領域に部分的に収容されており、かつ主ユニット棚部において前後方向に離隔されている第１の領域、第２の領域に第１の陳列物、第２の陳列物がそれぞれ載置し得、第１の陳列物が前方を向くように第１の引出しユニットが前方を向いて配置されて第１の引出しユニットが一方の開口部から引き出されかつ第２の引出しユニットの少なくとも一部が収容領域に収容されて第１の陳列物が利用に供され、第２の陳列物が前方を向くように第２の引出しユニットが前方を向いて配置されて第２の引出しユニットが他方の開口部から引き出されかつ第１の引出しユニットの少なくとも一部が収容領域に収容されて第２の陳列物が利用に供される。よって、式の主催者に応じた陳列を容易にすることができ、日々の主催者毎に、陳列棚に陳列物を出来るだけ容易にスタンバイすることができる。
【００１１】
主ユニット側部の対、第1の引出しユニット及び第２の引出しユニットの各底部には、旋回自在な回転手段が設けられていることにより、第１の陳列物が前方を向くように第１の引出しユニットが前方を向いて配置することも、第２の陳列物が前方を向くように第２の引出しユニットが前方を向いて配置することも容易となる。
【００１２】
仕切り部は、第１の引出しユニットが前方を向いて配置されて第１の陳列物が前方を向いたとき第２の陳列物が前方から見えないように、かつ第２の引出しユニットが前方を向いて配置されて第２の陳列物が前方を向いたとき第１の陳列物が前方から見えないように、構成されていることにより、第１の陳列物と第２の陳列物の左右上下の大きさに依存することなく、第１の領域に置かれている第１の陳列物が利用に供される際、第２の陳列物を第２の領域に置いたままにすることができ、第２の領域に置かれている第２の陳列物が利用に供される際、第１の陳列物を第１の領域に置いたままにすることができる。
【００１３】
第１の装飾部と第２の装飾部とを前後逆向きに有する前飾りユニットを、さらに備え、第１の装飾部が第１の陳列物に対応しており、第２の装飾部が第２の陳列物に対応し、第１の装飾部とは異なることにより、前飾りユニットが、主ユニット及び第１の引出しユニットの前に配置されている状態では一方の装飾となる第１の装飾部を前側に向け、主ユニット及び第２の引出しユニットの前に配置されている状態に移行するには、前飾りユニットの前後の装飾を逆にするように例えば回転させればよく、式の主催者に応じた陳列を容易にすることができ、日々の主催者毎に、陳列棚に陳列物を出来るだけ容易にスタンバイすることができる。
【図面の簡単な説明】
【００１４】
【図１】図１は、本発明の実施形態に係る陳列棚について保管状態を示す斜視図である。
【図２】図２は、図１に示す陳列棚について保管状態を示す背面図である。
【図３】図３は、図１に示す陳列棚において使用状態を示す斜視図である。
【図４】図４は、図１に示す陳列棚において使用状態を示す平面図である。
【図５】図５は、図４のＡ−Ａ線に沿う断面図である。
【図６】図６は、主ユニット及び第１の引出しユニット又は第２の引出しユニットの前に配置される前飾りユニットを模式的に示す斜視図である。
【図７】図７は、図６に示す前飾りユニットの平面図である。
【図８】図８は、図６に示す前飾りユニットの異なる方向から見た斜視図である。
【図９】図９は、図１に示す陳列棚と図６に示す前飾りユニットを用いた第１の使用形態を模式的に示す図である。
【図１０】図１０は、図１に示す陳列棚と図６に示す前飾りユニットを用いた第２の使用形態を模式的に示す図である。
【発明を実施するための形態】
【００１５】
以下、図面を参照しながら本発明の実施形態について詳細に説明する。本発明の本質的な事項を変更しない範囲で当業者において発明構成要素の一部を置き換えたり一部を取り除いたりして修正や変更をすることもでき、権利範囲は特許請求の範囲に記載した発明の範囲及びその均等物にも及ぶものである。
【００１６】
本発明の実施形態に係る陳列棚について、図１、図２に未使用の保管状態の斜視図、背面図を示し、図３、図４に使用状態の斜視図、平面図を示し、図５には図４のＡ−Ａ線に沿う断面図を示す。未使用状態、使用状態においては最上段の棚には陳列物を模式的に示しており、それ以外の段に置かれる陳列物は図示を省略している。また、図において、前後方向を示すＸ軸、右方向を示すＹ軸、高さ方向を示すＺ軸により、各図の相互関係を示している。
【００１７】
本発明の実施形態に係る陳列棚１０は、基本的な構成として、以下詳細に説明するような、主ユニット２０と第１の引出しユニット３０と第２の引出しユニット４０を備える。
【００１８】
主ユニット２０は、左右方向及び奥行き方向に延びる主ユニット棚部２１と、主ユニット棚部２１を左右で支持する主ユニット側部２２（２２ａ，２２ｂ）の対とを備える。主ユニット棚部２１と主ユニット側部２２の対が収容領域２３を画成しており、主ユニット２０は、収容領域２３の前後にそれぞれ開口部２４（２４ａ）の対を有する。すなわち、一方の開口部２４ａは、主ユニット棚部２１の前後方向の一端部となる壁部２５ａであって主ユニット側部２２ａと主ユニット側部２２ｂとの間に架け渡された壁部２５ａの下端が一方の開口部２４ａの上端となるように構成されている。他方の開口部は、主ユニット棚部２１の前後方向の他端部となる壁部２５ｂであって主ユニット側部２２ａと主ユニット側部２２ｂとの間に架け渡された壁部２５ｂの下端が他方の開口部２４ａの上端となるように構成されている。ここで、「主ユニット側部２２（２２ａ，２２ｂ）の対」が「主ユニット棚部２１を左右で支持する」とは、主ユニット棚部２１の左右端で主ユニット側部２２とそれぞれ接続されているという意味だけでなく、主ユニット棚部２１の左右端から左右中央寄りで主ユニット側部２２とそれぞれ接続されていることをも含む意図で解釈されなければならない。
【００１９】
主ユニット２０において、さらに、主ユニット棚部２１が、第１の領域２１ａと、第１の領域２１ａと前後方向に離隔されている第２の領域２１ｂとを有するように区分けされて構成されており、第１の領域２１ａには第１の陳列物１が載置され、第２の領域２１ｂに第２の陳列物２が載置され得る。第１の領域２ａと第２の領域２ｂとは何れも主ユニット棚部２１において左右方向に延びており、第１の領域２ａと第２の領域２ｂとは主ユニット棚部２１において奥行き方向で離隔されている。ここで、「離隔されている」とは、近接する場合のみならず、後述する仕切り部を挟んで設けられている場合を含む。第１の陳列物１には冠婚葬祭で使用される神式のモニュメントとして社殿、本殿の類が含まれ、第２の陳列物２には冠婚葬祭で使用される仏式のモニュメントが含まれる。第１の陳列物１と第２の陳列物２とは、様式の異なるモニュメントのみならず、同一の様式であっても形状や装飾が異なるモニュメントであってもよい。モニュメント自体は、通常分解不能な状態で例えば４０ｋｇ乃至６０ｋｇ程度の重量物である。
【００２０】
第１の引出しユニット３０は、左右方向及び上下方向に延びる壁部３１と、壁部３１を左右で支持する引出しユニット側部３２（３２ａ，３２ｂ）の対とを備える。「引出しユニット側部３２（３２ａ，３２ｂ）の対」が「壁部３１を左右で支持する」とは、壁部３１の左右端から左右中央寄りで引出しユニット側部３２（３２ａ，３２ｂ）とそれぞれ接続されていることのみならず、壁部３１の左右端で引出しユニット側部３２（３２ａ，３２ｂ）の対とそれぞれ接続されている意味をも含む。前者の意味においては、壁部３１が主ユニット棚部２１の左右幅と同様な寸法（使用の際、違和感な段差が生じないという意味である。）を有しているという好ましい形態の場合であり、後者の意味においては、壁部３１が主ユニット棚部２１の左右幅よりも短い寸法を有している場合に相当する。
【００２１】
第１の引出しユニット３０は、壁部３１及び引出しユニット側部３２（３２ａ，３２ｂ）を一組備えている形態のみならず、図示するように、壁部３１及び引出しユニット側部３２（３２ａ，３２ｂ）を複数組、例えば３乃至５組備えている形態であってもよい。
【００２２】
第１の引出しユニット３０は、組をなす壁部３１及び引出しユニット側部３２（３２ａ，３２ｂ）のほか、第１の引出しユニット３０の少なくとも一部が押し込まれて主ユニット２０の収容領域２３に収容されることを阻害しないように、引出しユニット側部３２（３２ａ，３２ｂ）の間に左右方向に架け渡された一又は複数の補強材３３を組毎に有することが好ましい。このような補強部３３としては、引出しユニット側部３２（３２ａ，３２ｂ）の上端部で壁部２５ａに近接して設けられた左右前後方向に延びる第１の補強部３３ａ、引出しユニット側部３２（３２ａ，３２ｂ）の下端部で壁部２５ａと前後方向逆側に設けられた左右上下方向に延びる第２の補強部３３ｂが挙げられる。
【００２３】
第１の引出しユニット３０において、主ユニット２０の収容領域２３から引き出された状態で、引出しユニット棚部３４が、引出しユニット側部３２（３２ａ，３２ｂ）の上端部に架け渡されるように配置される。引出しユニット棚部３４は、第１の引出しユニット３０が主ユニット２０の収容領域２３から引き出されておらず収容されている状態では、取り外されている。
【００２４】
第２の引出しユニット４０は、左右方向及び上下方向に延びる壁部４１と、壁部４１を左右で支持する引出しユニット側部４２（４２ａ，４２ｂ）の対とを備える。「引出しユニット側部４２（４２ａ，４２ｂ）の対」が「壁部４１を左右で支持する」とは、壁部４１の左右端から左右中央寄りで引出しユニット側部４２（４２ａ，４２ｂ）とそれぞれ接続されていることのみならず、壁部４１の左右端で引出しユニット側部４２（４２ａ，４２ｂ）の対とそれぞれ接続されている意味をも含む。前者の意味においては、壁部４１が主ユニット棚部２１の左右幅と同様な寸法（使用の際、違和感な段差が生じないという意味である。）を有しているという好ましい形態の場合であり、後者の意味においては、壁部４１が主ユニット棚部２１の左右幅よりも短い寸法を有している場合に相当する。
【００２５】
第２の引出しユニット４０は、壁部４１及び引出しユニット側部４２（４２ａ，４２ｂ）を一組備えている形態のみならず、図示するように、壁部４１及び引出しユニット側部４２（４２ａ，４２ｂ）を複数組、例えば３乃至５組備えている形態であってもよい。
【００２６】
ここで、第１の引出しユニット３０における壁部３１及び引出しユニット側部３２（３２ａ，３２ｂ）の組数は、第２の引出しユニット４０における壁部４１及び引出しユニット側部４２（４２ａ，４２ｂ）の組数と同数でも、異なってもよい。
【００２７】
第２の引出しユニット４０は、組をなす壁部４１及び引出しユニット側部４２（４２ａ，４２ｂ）のほか、第２の引出しユニット４０の少なくとも一部が押し込まれて主ユニット２０の収容領域２３に収容されることを阻害しないように、引出しユニット側部４２（４２ａ，４２ｂ）の間に左右方向に架け渡された一又は複数の補強材４３を組毎に有することが好ましい。このような補強部４３としては、引出しユニット側部４２（４２ａ，４２ｂ）の上端部で壁部２５ｂに近接して設けられた左右前後方向に延びる第１の補強部４３ａ、引出しユニット側部４２（４２ａ，４２ｂ）の下端部で壁部２５ｂと前後方向逆側に設けられた左右上下方向に延びる第２の補強部４３ｂが挙げられる。
【００２８】
第２の引出しユニット４０において、主ユニット２０の収容領域２３から引き出された状態で、引出しユニット棚部４４が、引出しユニット側部４２（４２ａ，４２ｂ）の上端部に架け渡されるように配置される。引出しユニット棚部４４は、第２の引出しユニット４０が主ユニット２０の収容領域２３から引き出されておらず収容されている状態では、取り外されている。引出しユニット棚部４４は、引出しユニット棚部３４と兼用される。引出しユニット棚部３４、引出しユニット棚部４４に関して、何れか一方が使用されている際は、他方が使用されないからである。
【００２９】
本発明の第１の実施形態において、さらに好ましい形態では、陳列棚１０において、前飾りユニット５０を備える。前飾りユニット５０は、前後方向で異なる装飾が施されている。前飾りユニット５０は、図６乃至図９に示すように、第１の陳列物１に対応した第１の装飾部５１と、第１の装飾部５１と前後方向に離隔して配置され第２の陳列物２に対応した第２の装飾部５２とを少くなくとも備えていればよく、第１の装飾部５１と第２の装飾部５２とが一体となっている装飾部（図示せず）でもよい。また、前飾りユニット５０は、図６及び図７に示すような、上下方向及び左右方向に延びて第１の装飾部５１と第２の装飾部５２との間に配置され後ろ側を目隠しするための壁部５３を備えている。より具体的には、前飾りユニット５０は、左右方向及び前後方向に延びる上面部５４と、左右方向及び前後方向に延びており上面部５４と対向する下面部５５と、上面部５４と下面部５５との左右両端に取り付けられる側面部５６，５６の対とを備えており、側面部５６，５６の対の間で上端を上面部５４に下端を下面部５５にそれぞれ近接する又は接続する壁部５３が設けられている。壁部５３を挟んで前後方向に第１の装飾部５１と第２の装飾部５２が設けられる。第１の装飾部５１と第２の装飾部５２は模式的に示したものであり、必ずしも図示するような形状、寸法の装飾を意味するわけではない。
【００３０】
本発明の実施形態ではこのような構成を備えていることにより、次のように使用することができる。図１に示されている状態の陳列棚１０を所定の位置に配置して、第１の引出しユニット３０の壁部３１及び引出しユニット側部３２を組毎に引き出して、下の組から上の組みになるに従い奥行き方向に高くなるように配置し、必要により壁部３１及び引出しユニット側部３２上に引出しユニット棚部３４が組毎に配置される。この状態が図３乃至図５に示されている。そして、第１の引出しユニット３０における引出しユニット棚部３４、引出しユニット棚部３４が配置されない場合には平板状の第１の補強部４３ａ上にそれぞれ、第１の陳列物１に対応する各種の調度品（図示せず）を配置する。これにより、主催者の式に応じた陳列が完了する。この状態を示したのが図９である。このとき、第１の陳列物１が陳列に供され、第２の陳列物２が陳列に供されない。仕切り部２６が、第２の陳列物２を前方から見えないようにするためである。
【００３１】
この状態から第２の陳列物２を利用した別の主催者による式に応じた陳列をする場合を説明する。先ず、第１の引出しユニット３０における引出しユニット棚部３４、引出しユニット棚部３４が配置されない場合には平板状の第１の補強部４３ａ上から、それぞれ、第１の陳列物１に対応する各種の調度品を取り払い、引出しユニット棚部３４を取り払う。次に、第１の引出しユニット３０の壁部３１及び引出しユニット側部３２を組毎に収容領域２３に収容する。この際、主ユニット棚部２１上には第１の陳列物１が配置されたままである。引き続き、陳列棚１０について、第１の引出しユニット３０及び第２の引出しユニット４０が主ユニット２０の収容領域２３に収容されたまま、前後が逆になるように全体を左右に回転させる。これにより、陳列棚１０において第２の引出しユニット４０が前面を向いていることになる。そして、第２の引出しユニット４０の壁部４１及び引出しユニット側部４２を組毎に引き出して、下の組から上の組になるに従い奥行き方向に高くなるように配置し、必要により壁部４１及び引出しユニット側部４２に引出しユニット棚部４４が組毎に配置される。そして、第２の引出しユニット４０における各引出しユニット棚部４４、引出しユニット棚部４４が配置されない場合には平板状の第１の補強部４３ａ上にそれぞれ、第２の陳列物２に対応する各種の調度品（図示せず）を配置する。これにより、前述の別の主催者の式に応じた陳列が完了する。この状態を示したのが図１０である。このとき、第２の陳列物２が陳列に供され、第１の陳列物１が陳列に供されない。仕切り部２６が、第１の陳列物１を前方から見えないようにするためである。
【００３２】
このように、主ユニット棚部２１における第１の領域２１ａに第１の陳列物１を載せておき、かつ、第２の領域２１ｂに第２の陳列物２を載せておく。その上で、第１の陳列物１を利用しようとするときは、第１の陳列物１が前方を向くように第１の引出しユニット３０が前方を向いて配置されて、第１の引出しユニット３０が一方の開口部２４ａから引き出されかつ第２の引出しユニット４０の大部分が収容領域２３に収容されて、第１の陳列物１が利用に供される。また、第２の陳列物２が前方を向くように第２の引出しユニット４０が前方を向いて配置されて、第２の引出しユニット４０が他方の開口部から引き出されかつ第１の引出しユニット３０の大部分が収容領域２３に収容されて、第２の陳列物２が利用に供される。
【００３３】
よって、陳列棚１０の最上段である主ユニット棚部２１上に第１の陳列物１、第２の陳列物２を、主催者毎に置き換える必要がない。主ユニット棚部２１は、通常、大人の平均身長よりも高く、例えば１８０ｃｍ前後以上であり、かつ第１の陳列物１、第２の陳列物２は、一体当たり左右幅５０ｃｍ乃至１００ｃｍ、４０ｋｇ前後と重量物となるため、置き換えがないことによる効果が絶大である。従来のような階段状態の陳列棚に登って陳列棚の最上段にある陳列物、特に、重量があり左右、上下寸法の長い陳列物を持ちながら階段状の陳列棚を下り、かつ、陳列棚の最下段に仮置きした陳列物、特に重量があり左右、上下寸法の長い陳列物を持ちながら階段状の陳列棚を登り、陳列棚の最上段に陳列物を配置する必要がない。
【００３４】
好ましい形態では、陳列棚１０において、前飾りユニット５０を備えるため、第１の引出しユニット３０における各引出しユニット棚部３４、引出しユニット棚部３４が配置されない場合には平板状の第１の補強部３３ａ上に第１の陳列物１に対応する各種の調度品をそれぞれ配置した状態において、さらに、前飾りユニット５０の第１の装飾部５１が前を向くように、例えば前飾りユニット５０が第１の引出しユニット３０の前方に配置される。この状態から第２の陳列物２を利用した別の主催者による式に応じた陳列をする場合には、先ず、前飾りユニット５０を第１の引出しユニット３０の前から外して、前述したように、第１の引出しユニット３０における引出しユニット棚部３４、引出しユニット棚部３４が配置されない場合には平板状の第１の補強部３３ａ上から、それぞれ、第１の陳列物１に対応する各種の調度品を取り払い、引出しユニット棚部３４を取り払う。そして、第２の引出しユニット３０における引出しユニット棚部４４、引出しユニット棚部４４が配置されない場合には平板状の第１の補強部４３ａ上に第２の陳列物２に対応する各種の調度品をそれぞれ配置した後に、前飾りユニット５０の第２の装飾部５２が前を向くように、前飾りユニット５０が第２の引出しユニット４０の前方に配置される。
【００３５】
前飾りユニット５０は、前述のような形態に限定されるわけではなく、第１の装飾部５１と第２の装飾部５２と設置面に垂直方向、鉛直方向に回転することにより、利用状態の向きが変るような形態であってもよい。これらのような前飾りユニット５０により、前飾りユニット５０の前後を逆にするように回転させたり、第１の装飾部５１と第２の装飾部５２との前後を逆にするように回転させたりすれば、式の主催者に応じた陳列を容易にすることができ、日々の主催者毎に、陳列棚に陳列物を出来るだけ容易にスタンバイすることができる。よって、前飾りユニット５０は、第１の装飾部５１と第２の装飾部５２とを前後逆向きに有しており、第１の装飾部５１が第１の陳列物１に対応しており、第２の装飾部５２が第２の陳列物２に対応し、第１の装飾部５１とは異なっていればよい。
【００３６】
好ましい形態においては、主ユニット棚部２１における第１の領域２１ａと第２の領域２１ｂとを区分けする仕切り部２６を備える。図１などに示すように、主ユニット棚部２１の前後略中間位置に左右方向及び上下方向に延びる仕切り部２６が設けられる。仕切り部２６は、主ユニット棚部２１に下から固定されている形態であっても、前後の第１の陳列物１及び第２の陳列物２の少なくとも一方に固定されている形態であってもよい。仕切り部２６は、第１の陳列物１及び第２の陳列物２の何れか高い方の上下寸法、第１の陳列物１及び第２の陳列物２の何れか左右方向に長い左右寸法を有する。このような構成によれば、第１の陳列物１の左右、上下の寸法が第２の陳列物２の左右、上下の寸法にほぼ同一である必要はなく、デザインのバリエーションが増す。また、仕切り部２６は、左右長が主ユニット棚部２１の左右長と略同一に設定されており、第１の陳列物１及び第２の陳列物２の高さを超えるように寸法設定されてもよい。これにより、第１の陳列物１、第２の陳列物２の寸法・形状毎に、仕切り部２６を取り換える必要がない。
【００３７】
仕切り部２６は、第１の陳列物１、第２の陳列物２の何れか一方又は双方に組み込まれてもよい。
【００３８】
このような仕切り部は、陳列棚１０や第１の陳列物１、第２の陳列物２に固定される必要はなく、図示を省略するが、会場の天井に固定されたレールにより吊り下げられるカーテン、垂れ幕などであってもよい。また、会場の壁や柱などの構造物、内装物へ、仕切りの左右両端で固定されるような仕切りであってもよい。第１の陳列物１を利用する際には、仕切り部が目隠しとなり、第２の陳列物２を利用する際には仕切り部が目隠しとなるからである。
【００３９】
本発明の実施形態において、仕切り部は、第１の引出しユニット３０が前方を向いて配置されて第１の陳列物１が前方を向いたとき第２の陳列物2が前方から見えないように、かつ第２の引出しユニット４０が前方を向いて配置されて第２の陳列物２が前方を向いたとき第１の陳列物１が前方から見えないように、構成される。これにより、主ユニット棚部２１上の第１の領域２１ａに第１の陳列物１を載置しかつ第２の領域２１ｂに第２の陳列物２を載置したままとすることができる。もちろん、第１の領域２１a、第２の領域２１ｂ上の陳列物の置き換えをしないことを意味するわけではない。主催者毎に、置き換えをする必要がないという意図で解釈さえなければならない。
【００４０】
好ましい形態においては、主ユニット側部２２（２２ａ，２２ｂ）と、第１の引出しユニット３０及び第２の引出しユニット４０の各底部、具体的には引出しユニット側部３２（３２ａ，３２ｂ），４２（４２ａ，４２ｂ）には、図２、図５に示すに、旋回自在な回転手段５がそれぞれ設けられている。回転手段５としては、軸まわりに旋回可能なキャスターが挙げられる。これにより、陳列棚１０を配置する場所に回転台を設ける必要がない。このような回転手段としてのキャスターは、前飾りユニット５０の底部にも設けることが好ましい。
【００４１】
ここで、第１の引出しユニット３０及び第２の引出しユニット４０についてさらに詳細に説明する。
【００４２】
第１の引出しユニット３０は、
一方の引出しユニット側部３２ａと、
一方の引出しユニット側部３２ａに対して左右方向に一定の間隔をあけて設けられた他方の引出しユニット側部３２ｂと、
一方の引出しユニット側部３２ａの上端部と他方の引出しユニット側部３２ｂの上端部に架け渡されて設けられ、上下方向及び左右方向に延びる壁部３１と、
を組として複数備えている。
【００４３】
壁部３１、一方の引出しユニット側部３２ａ、他方の引出しユニット側部３２ｂは、何れも、主ユニット２０の前後何れかの壁部２５ａの下端よりも低い上端を有する。
【００４４】
壁部３１、一方の引出しユニット側部３２ａ、他方の引出しユニット側部３２ｂを一組とする隣り合う組同士では、次のような関係を有している。
１）一方の引出しユニット側部３２ａと他方の引出しユニット側部３２ｂとの左右方向の間隔は、一方の主ユニット側部２２ａ、他方の主ユニット側部２２ｂに近い方が長い。
２）一方の主ユニット側部２２ａから遠い一方の引出しユニット側部３２ａは、一方の主ユニット側部２２ａに近い一方の引出しユニット側部３２ａと比べて、低い上端を有する。
３）他方の主ユニット側部２２ｂから遠い他方の引出しユニット側部３２ｂは、他方の主ユニット側部２２ｂに近い他方の引出しユニット側部３２ｂと比べて、低い上端を有する。
４）主ユニット２０の（前後の）壁部２５ａから遠い壁部３１は、主ユニット２０の（前後の）壁部２５ａに近い壁部３１の下端と比べて、低い上端を有する。
【００４５】
よって、主ユニット２０の（前後の）壁部２５ａと複数組におけるそれぞれの（前後の）壁部３１とが平面視で重なり得る状態において、主ユニット２０における収容領域２３に、一方の引出しユニット側部３２ａと他方の引出しユニット側部３２ｂの少なくとも一部（実際には大部分ではあるが）が収容することができる。そして、複数組におけるそれぞれの一方の引出しユニット側部３２ａ及び他方の引出しユニット側部３２ｂの少なくとも一つのペアが、主ユニット２０における収容領域２３から開口部２４ａを介して少なくとも部分的に引き出され、引出しユニット棚部３４がこのペアに係る一方の引出しユニット側部３２ａと他方の引出しユニット側部３２ｂとに架け渡されて載置され、主ユニット棚部２１と引出しユニット棚部３４とが高さ方向及び奥行き方向に異なる位置に配置される。さらに好ましくは、主ユニット棚部２１、主ユニット側部２２（２２ａ，２２ｂ）は一枚の板材、特に、一枚の平板部材で構成される。
【００４６】
第２の引出しユニット４０は、
一方の引出しユニット側部４２ａと、
一方の引出しユニット側部４２ａに対して左右方向に一定の間隔をあけて設けられた他方の引出しユニット側部４２ｂと、
一方の引出しユニット側部４２ａの上端部と他方の引出しユニット側部４２ｂの上端部に架け渡されて設けられ、上下方向及び左右方向に延びる壁部４１と、
を組として複数備えている。
【００４７】
壁部４１、一方の引出しユニット側部４２ａ、他方の引出しユニット側部４２ｂは、何れも、主ユニット２０の前後何れかの壁部２５ｂの下端よりも低い上端を有する。
【００４８】
壁部４１、一方の引出しユニット側部４２ａ、他方の引出しユニット側部４２ｂを一組とする隣り合う組同士では、次のような関係を有している。
１）一方の引出しユニット側部４２ａと他方の引出しユニット側部４２ｂとの左右方向の間隔は、一方の主ユニット側部２２ａ、他方の主ユニット側部２２ｂに近い方が長い。
２）一方の主ユニット側部２２ａから遠い一方の引出しユニット側部４２ａは、一方の主ユニット側部２２ａに近い一方の引出しユニット側部４２ａと比べて、低い上端を有する。
３）他方の主ユニット側部２２ｂから遠い他方の引出しユニット側部４２ｂは、他方の主ユニット側部２２ｂに近い他方の引出しユニット側部４２ｂと比べて、低い上端を有する。
４）主ユニット２０の（前後の）壁部２５ａから遠い壁部３１は、主ユニット２０の（前後の）壁部２５ａに近い壁部３１の下端と比べて、低い上端を有する。
よって、主ユニット２０の（前後の）壁部２５ｂと複数組におけるそれぞれの壁部３１とが平面視で重なり得る状態において、主ユニット２０における収容領域２３に、一方の引出しユニット側部４２ａと他方の引出しユニット側部４２ｂの少なくとも一部（実際には大部分ではあるが）が収容することができる。そして、複数組におけるそれぞれの一方の引出しユニット側部４２ａ及び他方の引出しユニット側部４２ｂの少なくとも一つのペアが、主ユニット２０における収容領域２２から開口部を介して少なくとも部分的に引き出され、引出しユニット棚部４４がこのペアに係る一方の引出しユニット側部４２ａと他方の引出しユニット側部４２ｂとに架け渡されて載置され、主ユニット棚部２１と引出しユニット棚部４４とが高さ方向及び奥行き方向に異なる位置に配置される。
【００４９】
なお、第１の引出しユニット３０，第２の引出しユニット４０は、何れも、壁部３１，４１、一方の引出しユニット側部３２ａ，４２ａ、他方の引出しユニット側部３２ｂ，４２ｂは、一組の場合であってもよい。
【００５０】
この場合、第１の引出しユニット３０は、一方の引出しユニット側部３２ａと、一方の引出しユニット側部３２ａに対して左右方向に一定の間隔をあけて設けられた他方の引出しユニット側部３２ｂと、一方の引出しユニット側部３２ａの上端部と他方の引出しユニット側部３２ｂの上端部に架け渡されて設けられ、上下方向及び左右方向に延びる壁部３１と、を組として一組備えている。壁部３１、一方の引出しユニット側部３２ａ、他方の引出しユニット側部３２ｂは、何れも、主ユニット２０の前後何れかの壁部２５ａの下端よりも低い上端を有する。
【００５１】
よって、主ユニット２０の（前後の）壁部２５ａと（前後の）壁部３１とが平面視で重なり得る状態において、主ユニット２０における収容領域２３に、一方の引出しユニット側部３２ａと他方の引出しユニット側部３２ｂの少なくとも一部（実際には大部分ではあるが）が収容することができる。そして、一方の引出しユニット側部３２ａ及び他方の引出しユニット側部３２ｂが、主ユニット２０における収容領域２２から少なくとも部分的に引き出され、引出しユニット棚部３４が一方の引出しユニット側部３２ａと他方の引出しユニット側部３２ｂとに架け渡されて載置され、主ユニット棚部２１と引出しユニット棚部３４とが高さ方向及び奥行き方向に異なる位置に配置される。
【００５２】
第２の引出しユニット４０は、一方の引出しユニット側部４２ａと、一方の引出しユニット側部４２ａに対して左右方向に一定の間隔をあけて設けられた他方の引出しユニット側部４２ｂと、一方の引出しユニット側部４２ａの上端部と他方の引出しユニット側部４２ｂの上端部に架け渡されて設けられ、上下方向及び左右方向に延びる壁部４１と、を組として一組備えている。壁部４１、一方の引出しユニット側部４２ａ、他方の引出しユニット側部４２ｂは、何れも、主ユニット２０の前後何れかの壁部２５ｂの下端よりも低い上端を有する。
【００５３】
よって、主ユニット２０の（前後の）壁部２５ｂと（前後の）壁部４１とが平面視で重なり得る状態において、主ユニット２０における収容領域２３に、一方の引出しユニット側部４２ａと他方の引出しユニット側部４２ｂの少なくとも一部（実際には大部分ではあるが）が収容することができる。そして、一方の引出しユニット側部４２ａ及び他方の引出しユニット側部４２ｂが、主ユニット２０における収容領域２２から少なくとも部分的に引き出され、引出しユニット棚部４４が一方の引出しユニット側部４２ａと他方の引出しユニット側部４２ｂとに架け渡されて載置され、主ユニット棚部２１と引出しユニット棚部４４とが高さ方向及び奥行き方向に異なる位置に配置される。
【００５４】
本発明の実施形態では、陳列棚１０が一台の場合で説明しているが、複数の陳列棚１０を横に並べて陳列システムとして構成してもよい。また、陳列棚１０は第１の陳列物１、第２の陳列物２のほか各種の調度品を載せることにより、祭壇が構成される。
【００５５】
なお、本発明の実施形態において、第１の引出しユニット３０が収容領域２３に収容されているとは、主ユニット２０の（前後の）壁部２５ａと（前後の）壁部３１とが平面視で重なり得る状態を意味し、第２の引出しユニット４０が収容領域２３に収容されているとは、主ユニット２０の（前後の）壁部２５ａと（前後の）壁部４１とが平面視で重なり得る状態を意味しており、第１の引出しユニットの壁部３１，第２の引出しユニットの壁部４１が収容領域２３に完全に収まり切れていない状況を含むものとする。
【符号の説明】
【００５６】
１：第１の陳列物
２：第２の陳列物
５：回転手段
１０：陳列棚
２０：主ユニット
２１：主ユニット棚部
２１ａ：第１の領域
２１ｂ：第２の領域
２２（２２ａ，２２ｂ）：主ユニット側部
２３：収容領域
２４（２４ａ）：開口部
２５ａ，２５ｂ：壁部
２６：仕切り部
３０：第１の引出しユニット
３１：壁部
３２（３２ａ，３２ｂ）：引出しユニット側部
３３：補強材
３３ａ：第１の補強部
３３ｂ：第２の補強部
３４：引出しユニット棚部
４０：第２の引出しユニット
４１：壁部
４２（４２ａ，４２ｂ）：引出しユニット側部
４３：補強材
４３ａ：第１の補強部
４３ｂ：第２の補強部
４４：引出しユニット棚部
５０：前飾りユニット
５１：第１の装飾部
５２：第２の装飾部
５３：壁部
５４：上面部
５５：下面部
５６：側面部
【要約】      （修正有）【課題】式の主催者に応じた陳列を容易にする陳列棚を提供する。【解決手段】陳列棚１０が主ユニット２０と第１の引出しユニットと第２の引出しユニットとを備える。主ユニット棚部２１が、第１の領域２１ａと、第１の領域２１ａと前後方向に仕切り部２６で離隔されている第２の領域２１ｂとを有し、第１の領域２１ａに第１の陳列物１を載せておき、第２の領域２１ｂに第２の陳列物２を載せておく。回転手段５を用いて第１の引出しユニット３０が前方を向いて配置されて第１の引出しユニットが一方の開口部から引き出されて第１の陳列物１が利用に供される。回転手段５を用いて第２の引出しユニットが前方を向いて配置されて第２の引出しユニットが他方の開口部から引き出されて第２の陳列物２が利用に供される。【選択図】図９【図１】
0006885639.tif 000002
【図２】
0006885639.tif 000003
【図３】
0006885639.tif 000004
【図４】
0006885639.tif 000005
【図５】
0006885639.tif 000006
【図６】
0006885639.tif 000007
【図７】
0006885639.tif 000008
【図８】
0006885639.tif 000009
【図９】
0006885639.tif 000010
【図１０】
0006885639.tif 000011